(57)【要約】      （修正有）【課題】壊れ難く、身近なプラスチック容器、ガラス容器、ペットボトルなどに入れられるいろいろなサイズで、家庭において手軽、かつ、安全・簡単に水の改質を行え、組み合わせて大型水改質装置に利用可能な水改質ユニットを提供する。【解決手段】Ｐ型半導体の粉末８の５重量部から９５重量部に対し、Ｎ型半導体の粉末９の９５重量部から５重量部の範囲で任意の組み合わせで混合したものを磁性棒状体１０の周りに配置するようにガラス管容器７に充てんされ、該ガラス管容器の開口部が封じられ、両端部がキャップ１２でカバーされてなる水改質ユニット。【選択図】図３
0003157343.tif 000002
【実用新案登録請求の範囲】
【請求項１】
Ｐ型半導体の粉末５重量部から９５重量部に対し、Ｎ型半導体の粉末９５重量部から５重量部の範囲で任意の組み合わせで混合したものを磁性棒状体の周りに配置するようにプラスチック管容器に充てんされ、該プラスチック管容器の開口部が封じられてなる水改質ユニット。
【請求項２】
Ｐ型半導体の粉末５重量部から９５重量部に対し、Ｎ型半導体の粉末９５重量部から５重量部の範囲で任意の組み合わせで混合したものを磁性棒状体の周りに配置するようにガラス管容器に充てんされ、該ガラス管容器の開口部が封じられ、両端部が塗装又はキャップでカバーされてなる水改質ユニット。
【請求項３】
Ｐ型半導体の粉末５重量部から９５重量部に対し、Ｎ型半導体の粉末９５重量部から５重量部の範囲で混合されており、このＰ型半導体とＮ型半導体との混合物１００重量部に対し１０重量部から１００重量部の金属フェライトの粉末を混合したものをプラスチック１００重量部に対し１０重量部から１００重量部の範囲で混合され、これらが成型後に着磁されてなる水改質ユニット。
【請求項４】
Ｐ型半導体の粉末５重量部から９５重量部に対し、Ｎ型半導体の粉末９５重量部から５重量部の範囲で混合されており、この混合物１００重量部に対し磁性体粉末１重量部から１００重量部の範囲で混合されており、これら混合されたものをプラスチック１００重量部に対し１０重量部から１００重量部の範囲で混合されており、これらが成形加工されてなる水改質ユニット。
【請求項５】
請求項１のプラスチック管容器の直径は１５ｍｍ以下３ｍｍ以上である水改質ユニット。
【請求項６】
請求項２のガラス管容器の直径は１５ｍｍ以下３ｍｍ以上である水改質ユニット。
【請求項７】
請求項３で得られる水改質ユニットの直径は１５ｍｍ以下３ｍｍ以上である水改質ユニット。
【請求項８】
請求項４で得られる水改質ユニットの直径は１５ｍｍ以下３ｍｍ以上である水改質ユニット。
【考案の詳細な説明】
【技術分野】
【０００１】
本考案は、Ｐ型半導体とＮ型半導体を任意の割合で混合接触させ、これと磁性体とを組み合わせてなる水改質ユニットに関するものである。
【背景技術】
【０００２】
生命体は、水を大量に含んでいるものが多く、その量は約６０％から９０％といわれている。
【０００３】
また、水は色々なものを溶解することができ、それが生命体の中に水としても入り込み、色々な働きをすることは良く知られている。水が接触するものに対する親和性は水の活性化の状態によって大きく異なることも知られている。
水の分子式はＨ２Ｏと表現されるが、これは気体の場合であって、液体状態ではいくつかの集合体からなっているといわれている。
【０００４】
この集合体の数が物を溶解したり、水和したりするのに大切な役割をしており、すでに特開平１０−７６２５５号公報、特開平１１−２５１６５９号公報に開示されるように水の改質や、生命体の活性化を助けることができ、水を使用する分野への利用価値の高い電磁波発生複合体が既に提供されている。
【先行技術文献】
【特許文献】
【０００５】
【特許文献１】特開平１１−２５１６５９号公報
【特許文献２】特開平１０−７６２５５号公報
【考案の概要】
【考案が解決しようとする課題】
【０００６】
従来の水改質ユニットは、ガラス製でできているものが多く、容器への出し入れや容器が落下あるいは転倒した時などに破損するが生ずる欠点がある。
【０００７】
また、前記容器は、既存のものが利用されるため、大きさを一定のもの限定することが要請される。
【０００８】
この考案は、前記欠点の解消及び要請に答えることを目的に案出されたものである。
【課題を解決するための手段】
【０００９】
Ｐ型半導体の粉末５重量部から９５重量部に対し、Ｎ型半導体の粉末９５重量部から５重量部の範囲で任意の組み合わせで混合したものを磁性棒状体の周りに配置するようにプラスチック管容器に充てんされ、該プラスチック管容器の開口部が封じられてなる水改質ユニットある。
【００１０】
Ｐ型半導体の粉末５重量部から９５重量部に対し、Ｎ型半導体の粉末９５重量部から５重量部の範囲で任意の組み合わせで混合したものを磁性棒状体の周りに配置するようにガラス管容器に充てんされ、該ガラス管容器の開口部が封じられ、両端末が塗装又はキャップでカバーされてなる水改質ユニットとしてもよいものである。
【００１１】
Ｐ型半導体の粉末５重量部から９５重量部に対し、Ｎ型半導体の粉末９５重量部から５重量部の範囲で混合されており、このＰ型半導体とＮ型半導体との混合物１００重量部に対し１０重量部から１００重量部の金属フェライトの粉末を混合したものをプラスチック１００重量部に対し１０重量部から１００重量部の範囲で混合され、これらが成型後に着磁されてなる水改質ユニットとしてもよいものである。
【００１２】
Ｐ型半導体の粉末５重量部から９５重量部に対し、Ｎ型半導体の粉末９５重量部から５重量部の範囲で混合されており、この混合物１００重量部に対し磁性体粉末１重量部から１００重量部の範囲で混合されており、これら混合されたものをプラスチック１００重量部に対し１０重量部から１００重量部の範囲で混合されており、これらが成形加工されてなる水改質ユニットとしてもよいものである。
【００１３】
前記プラスチック管容器の直径は１５ｍｍ以下３ｍｍ以上である範囲の外形の水改質ユニットとしてよいものである。
【００１４】
前記ガラス管容器の直径は１５ｍｍ以下３ｍｍ以上である範囲の外形の水改質ユニットとしてよいものである。
【００１５】
前記Ｐ型半導体の粉末５重量部から９５重量部に対し、Ｎ型半導体の粉末９５重量部から５重量部の範囲で混合されており、このＰ型半導体とＮ型半導体との混合物１００重量部に対し１０重量部から１００重量部の金属フェライトの粉末を混合したものをプラスチック１００重量部に対し１０重量部から１００重量部の範囲で混合され、これらが成型後に着磁されてなる水改質ユニットの直径は１５ｍｍ以下３ｍｍ以上である範囲の外形としてもよいものである。
【００１６】
Ｐ型半導体の粉末５重量部から９５重量部に対し、Ｎ型半導体の粉末９５重量部から５重量部の範囲で混合されており、この混合物１００重量部に対し磁性体粉末１重量部から１００重量部の範囲で混合されており、これら混合されたものをプラスチック１００重量部に対し１０重量部から１００重量部の範囲で混合されており、これらが成形加工されてなる水改質ユニットの直径は１５ｍｍ以下３ｍｍ以上である範囲の外形としてもよいものである。
【考案の効果】
【００１７】
本考案は、前述のように構成されているので、壊れにくく、いろいろなサイズの水質改質装置を製造することができる。使用する容器は、適当なプラスチック容器、ガラス容器、ペットボトルなど家庭で手軽、且つ、安全・簡単に水の改質を行うことができる。また、水改質ユニットの組合わせることによって大型装置に利用できるものである。
【図面の簡単な説明】
【００１８】
【図１】図１は、本考案の水改質ユニットの実施例１を示す断面説明図である。
【図２】図２は、本考案の水改質ユニットの実施例２の第１例を示す断面説明図である。
【図３】図３は、同じく、本考案の水改質ユニットの実施例２の第２例を示す断面説明図である。
【図４】図４は、本考案の水改質ユニットの実施例３を示す断面説明図である。
【図５】図５は、本考案の水改質ユニットの実施例４を示す断面説明図である。
【考案を実施するための形態】
【実施例１】
【００１９】
以下、本考案の水改質ユニットの実施例１を説明すると、実施例１の水改質ユニット１は、プラスチック管容器型であり、図１に示すように、プラスチック管容器２は、開口端が夫々小径接続部２ａ１を具える半体のプラスチック管２ａと大径接続部２ｂ１を具える半体のプラスチック管２ｂとをプラスチック材により成形されるものであり、それら半体管２ａ、２ｂを小径接続部２ａ１と大径接続部２ｂ１を互いに嵌合して接続して構成させるプラスチック管容器２の内部に、Ｐ型半導体の粉末３とＮ型半導体の粉末４を、Ｐ型半導体の粉末３の５重量部から９５重量部に対し、Ｎ型半導体の粉末４の９５重量部から５重量部の範囲で任意の組み合わせで混合したものを磁性棒状体５の周りに配置するように充てんする。その後、前記小径接続部２ａ１と大径接続部２ｂ１を接着剤により接着し、Ｐ型半導体の粉末３、Ｎ型半導体の粉末４及び磁性棒状体５をプラスチック容器管２内に密封している。プラスチック容器管２の密封構造については、図示しないが、一端を有底に形成し、他方端の開口に蓋板をネジ式に被着する、蓋板を超音波溶接によるもの等があるから、前記に接着剤接着に限定するものではない。
プラスチック管容器２に用いるプラスチックは、ポリプロピレン、高密度ポリエチレン、ポリカーボネイト、ポリスチレン／ＳＢＲブレンド物、ＴＰＯ、ＴＰＥなど透明性の高いプラスチック類が好適である。
【実施例２】
【００２０】
次に、実施例２の水改質ユニット６は、ガラス管容器型であり、図２に示す第１例の水改質ユニット６ａと、図３に示す第２例の水改質ユニット６ｂについて説明する。第１例、第２例ともガラス管容器７を使用するものである。
図２に示す第１例では、一端を有底に形成し他方端を開口したガラス管に、Ｐ型半導体の粉末８とＮ型半導体の粉末９を、Ｐ型半導体の粉末８の５重量部から９５重量部に対し、Ｎ型半導体の粉末９の９５重量部から５重量部の範囲で任意の組み合わせで混合したものを磁性棒状体１０の周りに配置するように充てんする。その後、ガラス管の開口端を、例えば、加熱溶融して閉鎖されるガラス管容器７内にＰ型半導体の粉末８、Ｎ型半導体の粉末９及び磁性棒状体１０を密封している。
ガラス管は、両端が開口したものでもよく、前記に限定するものではない。そして、密封されたガラス管容器７の両端部に塗料による塗装１１を行い、保護被膜を付着させている。この塗装１１は耐水性であり、且つ水に不溶性であること、水で抽出される成分は含まれないことが肝要である。
本実施例２の第１例のガラス管容器７の両サイドに塗装１１を装着した水改質ユニット６ａは転倒時や装着する際の衝撃に対しても充分耐えることができる。
【００２１】
次に、実施例２を図３に示す第２例の水改質ユニット６ｂを説明する。Ｐ型半導体の粉末８、Ｎ型半導体の粉末９及び磁性棒状体１０をガラス管容器７内に密封する構成については、前記第１例と同じ構成であり、密封されたガラス管容器７の両端部にキャップ１２を夫々被せるものである。キャップ１２は、プラスチック製が通常であるが、前記塗装１１と同様に耐水性であり、且つ水に不溶性であること、水で抽出される成分を含まないものであればよい。
本実施例２の第２例の水改質ユニット６ｂは、ガラス管容器７の両端部にキャップ１２を装着したから、第１例と同様に転倒時や装着する際の衝撃に対しても充分耐えることができる。
【実施例３】
【００２２】
次に、実施例３の水改質ユニット１３は、Ｐ型半導体の粉末１４の５重量部から９５重量部に対し、Ｎ型半導体の粉末１５の９５重量部から５重量部の範囲で混合し、このＰ型半導体とＮ型半導体との混合物１００重量部に対し１０重量部から１００重量部の金属フェライトの粉末１６を混合したものをプラスチック１７の１００重量部に対し１０重量部から１００重量部の範囲でブレンダーやミキサーで予め混合し、ペレタイザーでペレットにした後、押出機、インジェクションマシン、トランスファーマシンなどで棒状体を形成し、その成型後にその棒状体を着磁してなるものである。
前記金属フェライトは、バリウムフェライト、ストロンチュウムフェライト等がある。図４は、模型構造における断面説明図である。このものは、通常の使用時に、落下あるいは転倒により破損することは無い。
【実施例４】
【００２３】
次に、水改質ユニット１８は、Ｐ型半導体の粉末１９の５重量部から９５重量部に対し、Ｎ型半導体の粉末２０の９５重量部から５重量部の範囲で混合されており、この混合物１００重量部に対し永久磁石の粉末２１の１重量部から１００重量部の範囲で混合されており、これら混合されたものをプラスチック２２の１００重量部に対し１０重量部から１００重量部の範囲でブレンダーやミキサーで予め混合し、ペレタイザーでペレットにした後、押出機、インジェクションマシン、トランスファーマシンなどで棒状体を形成してなるものである。図４は、模型構造における断面説明図である。この水改質ユニット１８は、実施例３の水改質ユニット１３と同じく通常の使用時に、落下あるいは転倒により破損することは無い。
【００２４】
前記実施例１、実施例２、実施例３及び実施例４の水質改質ユニットは、外形が円形でも角型でも良いが、１５ｍｍ以下であることにより水との接触面を広くすることで水改質能力を早めることができる。但し、３ｍｍ以下となると強度が低下するので好ましくない。外形が小さいものは複数本束ねて使用すると良い。使用する容器によって調整することが可能である。水質改質ユニットの長さも容器によって自由に設定することが可能である。
【産業上の利用可能性】
【００２５】
本考案は、以上、説明したように構成されているので、壊れ難く、いろいろなサイズの棒状体の水改質ユニットを製造することができる。
【００２６】
管状水改質ユニットを入れる容器は、適当なプラスチック容器、ガラス容器、ペットボトルなど家庭で手軽、かつ、安全・簡単に水の改質を行うことができる。
【００２７】
また、大型水改質装置においても、棒状体の水改質ユニットの組み合わせによって自由に組み合わせ使用が可能である。
【符号の説明】
【００２８】
１  実施例１の水改質ユニット
２  プラスチック管容器
２ａ  半体のプラスチック管
２ａ１  小径接続部
２ｂ  半体のプラスチック管
２ｂ１  大径接続部
３  Ｐ型半導体の粉末
４  Ｎ型半導体の粉末
５  磁性棒状体
６  実施例２の水改質ユニット
６ａ  実施例２の第１例の水改質ユニット
６ｂ  実施例２の第２例の水改質ユニット
７  ガラス管容器
８  Ｐ型半導体の粉末
９  Ｎ型半導体の粉末
１０  磁性棒状体
１１  塗装
１２  キャップ
１３  実施例３の水改質ユニット
１４  Ｐ型半導体の粉末
１５  Ｎ型半導体の粉末
１６  金属フェライトの粉末
１７  プラスチック
１８  実施例４の水改質ユニット
１９  Ｐ型半導体の粉末
２０  Ｎ型半導体の粉末
２１  永久磁石の粉末
２２  プラスチック
【図１】
0003157343.tif 000003
【図２】
0003157343.tif 000004
【図３】
0003157343.tif 000005
【図４】
0003157343.tif 000006
【図５】
0003157343.tif 000007